(57)【要約】【課題】  簡単な操作で安定して鉄類を収集することができる鉄類収集器を提供すること。【解決手段】  一端を閉鎖し、ハンドル８を設けた中空筒状の外筒３と、この外筒３内の軸方向に延びる内筒４とを備え、この内筒４の軸方向に、複数個の磁石２４とこの磁石２４の間隔を保つスペーサ２５とを交互に設け、この内筒４を、前記外筒３内に挿入した状態と、外筒３の反閉鎖側から軸方向に引出した状態とに変化可能に構成し、この外筒３の内筒引出し側の所定位置に、この外筒３の表面から周囲に突出する鉄類外し用鍔部６を設ける。【選択図】  図１
0003133678.tif 000002
【実用新案登録請求の範囲】
【請求項１】
一端を閉鎖し、ハンドルを設けた中空筒状の外筒と、
該外筒内に挿入する内筒とを備え、
該内筒の軸方向に、複数個の磁石と該磁石の間隔を保つスペーサとを交互に設け、
該内筒を、前記外筒内に挿入した状態と、該外筒の反閉鎖側から軸方向に引出した状態とに変化可能に構成し、
該外筒の内筒引出し側の所定位置に、該外筒の表面から周囲に突出する鉄類外し用鍔部を設けたことを特徴とする鉄類収集器。
【請求項２】
前記内筒の外面と前記外筒の内面との間に所定の間隙を設けるとともに、該間隙の範囲で内筒の先端に係止部を形成し、
前記外筒の内筒引出し側に、該内筒の係止部を係止するストッパを設けた請求項１に記載の鉄類収集器。
【請求項３】
前記スペーサを非磁性体で形成し、
該スペーサを前記鍔部から内筒引出し側に配置するとともに、前記磁石を内筒の先端位置に配置し、
該磁石と前記スペーサととの間に磁石とスペーサとを交互に配置した請求項１又は請求項２に記載の鉄類収集器。
【請求項４】
前記ハンドルを長さ調整可能に構成するとともに、該ハンドルを長さ調整位置で固定する固定部材を設けた請求項１〜３のいずれか１項に記載の鉄類収集器。
【請求項５】
前記外筒の内筒引出し側に前記ハンドルの先端を接続し、該ハンドルの基部に、該ハンドルと前記外筒との相対角度を変更する角度調整部を設けた請求項１〜４のいずれか１項に記載の鉄類収集器。
【請求項６】
前記外筒の下部両端部にローラを設け、該ローラの回転軸心を外筒の軸方向に配置した請求項１〜４のいずれか１項に記載の鉄類収集器。
【請求項７】
前記外筒の下部軸方向に、該外筒から所定量突出した複数本の歯を有する熊手状歯を設けた請求項１〜４のいずれか１項に記載の鉄類収集器。
【考案の詳細な説明】
【技術分野】
【０００１】
本考案は、床や地面等に散乱したり、機械の隙間等に入った鉄片や鉄屑等の鉄類を集めるための収集器に関するものである。
【背景技術】
【０００２】
従来、鉄工所等の金属加工機を備えた場所では、加工によって生じる鉄片や切屑等（この明細書及び実用新案登録請求の範囲の書類中では、これら切屑等を、単に「鉄類」という）が作業中に床へ散乱する。また、加工作業中に生じる鉄屑等の鉄類は、床に散乱していると作業の邪魔になるため、作業中は加工機の下部等に押し入れて作業を続ける場合がある。
【０００３】
そのため、加工機による加工終了時には、加工機の周辺の床や機械下部の隙間等に鉄類が散乱している場合が多い。このような鉄類は、次の作業開始前や作業終了後に集めて廃棄されたり再利用業者に渡されたりするが、近年、有効資源の再利用が重要視されているので、これらの鉄類は多くが再利用されている。そのため、このように床や機械の隙間等に散乱している鉄類を簡単で確実に集めることができる器具が望まれている。しかも、加工作業の合間等に散乱している鉄類を集めるには、短時間で簡単に収集できる器具が望まれる。
【０００４】
このような鉄類を収集する従来技術として、外筒内で軸方向に移動可能な磁石と、この磁石を外筒の先端に位置させるレバーと、磁石を先端から後退した位置に戻すバネとを設け、磁石を外筒の先端に位置させて鉄片を外筒に付着させ、この磁石をバネで後退させることにより外筒に付着させた鉄片を落とすようにした鉄片清掃具がある（例えば、特許文献１参照）。
【０００５】
また、同様の従来技術として、外筒内で軸方向に移動可能な磁石と、この磁石を外筒の先端から後方に戻すバネとを設け、磁石を外筒の先端に位置させて鉄屑などを外筒に付着させ、この磁石をバネで勢いよく戻すことにより外筒に付着させた鉄屑などを落とすようにした鉄屑収集器がある（例えば、特許文献２参照）。
【特許文献１】特開平１１−１９７６１５号公報
【特許文献２】特開２０００−１４６１６号公報
【考案の開示】
【考案が解決しようとする課題】
【０００６】
しかしながら、前記特許文献１，２に記載された従来技術では、器具を垂直に持って作業するような構成であるため、作業者が上部に設けられたハンドルを持って鉄類を吸着させるには、作業者がハンドルを持って床と適切な距離を保ちながら器具を水平方向に移動させる必要があり、縦長の器具を持って床との距離を保ちながら水平方向に移動させるのは非常に困難で、操作性に劣る。
【０００７】
また、このような縦長の器具では底面の面積が小さいため、磁石の磁力が有効に作用する床上の面積が小さく、多くの時間と労力を要しても、労力に対する鉄類収集の効率が悪く、作業効率が悪い。しかも、このような構成では、草の中等の地面に散らばった鉄類を効率よく収集することは非常に難しい。
【０００８】
さらに、器具内で磁石を移動させるためにバネを用いているが、バネを設けるためのスペースを要するとともに、バネで磁石を移動させるには移動距離に限界があり、吸着した鉄類を磁力の影響から切り離して取り除くには磁力を制限しなければならず、十分な鉄類の吸着が可能な器具を構成するのが難しい。
【０００９】
そこで、本考案は、簡単な操作で安定して鉄類を収集することができる鉄類収集器を提供することを目的とする。
【課題を解決するための手段】
【００１０】
前記目的を達成するために、本考案は、一端を閉鎖し、ハンドルを設けた中空筒状の外筒と、該外筒内に挿入する内筒とを備え、該内筒の軸方向に、複数個の磁石と該磁石の間隔を保つスペーサとを交互に設け、該内筒を、前記外筒内に挿入した状態と、該外筒の反閉鎖側から軸方向に引出した状態とに変化可能に構成し、該外筒の内筒引出し側の所定位置に、該外筒の表面から周囲に突出する鉄類外し用鍔部を設けている。これにより、棒磁石等の磁石をスペーサを挟んで軸方向に複数個設けた内筒を、中空筒状の外筒内に引出し可能な状態で挿入し、この磁石を設けた内筒を挿人した外筒をハンドルによって床や機械の隙開また地面等で移動させることにより、落ちている鉄類を磁石の磁力で外筒の外面に吸着させて集めることができる。そして、内筒を外筒から引出すことにより外筒内から磁石が引出され、磁石を鍔部よりも引出し側に引出すことにより外筒に吸着されていた鉄類を鍔部に当てて落とすことができる。このようにして、操作性良く、簡単で確実に鉄類を収集することができる。
【００１１】
また、前記内筒の外面と前記外筒の内面との間に所定の間隙を設けるとともに、該間隙の範囲で内筒の先端に係止部を形成し、前記外筒の内筒引出し側に、該内筒の係止部を係止するストッパを設けてもよい。これにより、外筒内から引出す内筒の移動範囲を、係止部が当接する閉鎖された外筒の先端とストッパとの間とし、内筒の引抜き防止を図るとともに、内筒の外面と外筒の内面との接触面積を係止部の周囲として内筒の引出しを容易に行うことができる。
【００１２】
さらに、前記スペーサを非磁性体で形成し、該スペーサを前記鍔部から内筒引出し側に配置するとともに、前記磁石を内筒の先端位置に配置し、該磁石と前記スペーサととの間に磁石とスペーサとを交互に配置してもよい。これにより、外筒の先端位置に鉄類を吸着させることができるので、機器類の隙間等の狭い場所に入った鉄類も容易に収集することができる。しかも、非磁性体のスペーサによって各磁石の磁力を安定させて鉄類を確実に吸着することができるとともに、非磁性体のスペーサが鍔部を通過するときに磁力が弱まって外筒の外面に吸着した鉄類を外すことができる。
【００１３】
また、前記ハンドルを長さ調整可能に構成するとともに、該ハンドルを長さ調整位置で固定する固定部材を設けてもよい。これにより、ハンドルを持って外筒を鉄類の場所へ容易に持って行くことができ、鉄類の収集作業効率を向上させることができる。
【００１４】
さらに、前記外筒の内筒引出し側に前記ハンドルの先端を接続し、該ハンドルの基部に、該ハンドルと前記外筒との相対角度を変更する角度調整部を設けてもよい。これにより、外筒の内筒引出し側に設けられたハンドルを持って外筒の外面に鉄類を吸着させることが容易にでき、鉄類の収集作業効率を向上させることができる。
【００１５】
また、前記外筒の下部両端部にローラを設け、該ローラの回転軸心を外筒の軸方向に配置してもよい。これにより、ローラで外筒等の重量を支持しながら床面等の上の鉄類を収集する作業を容易に行うことができる。
【００１６】
さらに、前記外筒の下部軸方向に、該外筒から所定量突出した複数本の歯を有する熊手状歯を設けてもよい。これにより、床等に散乱した切屑等の鉄類を効率良く収集することができる。
【考案の効果】
【００１７】
本考案は、以上説明したような手段により、鉄類を簡単な操作で迅速に収集することができ、効率の良い鉄類の収集作業を行うことが可能となる。
【考案を実施するための最良の形態】
【００１８】
以下、本考案の一実施の形態を図面に基づいて説明する。図１は、本考案の第１実施の形態に係る鉄類収集器を示す斜視図であり、図２(a) は図１に示す鉄類収集器の収集器本体を水平方向に切断して両端部を拡大した断面図、図２(b) は内筒の斜視図である。
【００１９】
図１に示すように、鉄類収集器１には、矩形状の断面で所定長さに形成された収集器本体２が設けられている。この収集器本体２は、筒状の矩形断面で形成された外筒３と、この外筒３内から一方（図の左側）に引出し可能に設けられた矩形断面の内筒４とを備えている。外筒３の内筒引出し側には、外筒３の外面から外向きに突出する外フランジ５が設けられ、この外フランジ５から所定距離離れた位置には、鉄類を外すための鍔部６が設けられている。この外フランジ５と鍔部６との間には、上向きにブラケット７が設けられており、このブラケット７にハンドル８が設けられている。収集器本体２は、このハンドル８を持って移動させることができるようになっている。
【００２０】
前記ブラケット７は、外筒３に溶接等で設けられており、このブラケット７には、ハンドル８の先端に設けられた調整部材９が取付けられている。調整部材９には、先端を支持する支持部１０と、この支持部１０から所定距離離れた位置で調整部材９の位置を調整する調整部１１とが設けられている。支持部１０にはボルトが設けられ、ブラケット７の所定位置に支持されている。調整部１１にはボルトが設けられ、ブラケット７に設けられた円弧状の調整溝１２の範囲内で位置調整ができるようになっている。この調整部１１を調整溝１２の範囲内で位置調整することにより、ハンドル８と外筒３との相対角度を使用条件等に応じて調整できるようにしている。これらが角度調整部である。この実施の形態では、ハンドル８の軸方向に角度調整可能としているが、ハンドル８の軸方向に対して左右方向に約９０度程度の角度調整が可能なようにしてもよい。この角度調整は、例えば、前記ハンドル８と調整部材９との取付部を調整可能とすることで対応できる。前記ハンドル８の軸方向に角度調整可能とした構成と、このハンドル８の軸方向に対する左右方向の角度調整とを組合わせてもよい。
【００２１】
また、ハンドル８は、先端に調整部材９が設けられた内側ハンドル部材１３と、この内側ハンドル部材１３が挿入された外側ハンドル部材１４と、この外側ハンドル部材１４を内側ハンドル部材１３の軸方向の任意の位置で固定する固定部材１５とを備えている。これにより、固定部材１５を緩めて外側ハンドル部材１４を内側ハンドル部材１３の軸方向にスライドさせれば、ハンドル８の長さを任意に調整することができる。
【００２２】
図２(a) に示すように、前記収集器本体２の外筒３は筒状の矩形断面で形成され、前記内筒４は、この外筒３の内面と所定の間隙Ｓを設けた小さい矩形断面の筒状に形成されている。外筒３は、中空の矩形断面で筒状に形成され、先端が板体１６で閉鎖されている。外筒３の内筒引出し側には、前記外フランジ５の位置から内向きに突出するストッパ１７が設けられている。このストッパ１７は、外筒３の内面から内筒４の外面に近接した位置まで突出するように形成されている。ストッパ１７は、後述する内筒４の係止部２１を係止して、内筒４の抜け止めを図るものである。この外筒３は、ステンレス材で形成されている。また、この外筒３の内筒引出し側には、外形が前記外筒３の外フランジ５の外形と同一で、内形が前記ストッパ１７の内形と同一のパッキン１８と、このパッキン１８を外フランジ５に固定する蓋体１９とが設けられている。この蓋体１９と外フランジ５とは、パッキン１８を挟んでボルト２０で周囲の数カ所が固定されている。
【００２３】
内筒４は、中空筒状に形成され、先端に係止部２１が設けられている。この係止部２１は、前記間隙Ｓの範囲の大きさで形成されている。この実施の形態では、係止部２１の外端と外筒３の内面との間に少しの隙ができる大きさで形成されている。これにより、内筒４を引出す時の内筒４の外面と外筒３の内面との接触面積を係止部２１の周囲のみとして少なくし、しかも、係止部２１の周囲が外筒３の内面に案内されるようにして、内筒４のスムーズな引出しを可能としている。また、この内筒４の引出し側には、前記外筒３の蓋体１９に接するフランジ部２２が設けられている。このフランジ部２２の外側には、内筒４を外筒３から引出す時に持つ取手２３が設けられている。フランジ部２２が蓋体１９に接した状態で、内筒４の先端が外筒３の先端部に位置するようになっている。この内筒４は、アルミニウム材で形成されている。
【００２４】
そして、図２(a),(b) に示すように、中空筒状の内筒４の内部には、軸方向に複数個の磁石２４（この例では、５個（図２(b) に斜線で示す））が設けられている。図２(b) では内筒４の側部を一部切除して示しており、複数個の磁石２４は、内筒４の先端に磁石２４が設けられ、この磁石２４と所定の間隔を設けるスペーサ２５とが内筒４内の軸方向に交互に配置されている。内筒４の引出し側にはスペーサ２５が設けられており、内筒４を外筒３に挿入したときに前記外筒３に設けられた鍔部６から内筒引出し側がスペーサ２５となるように配置されている。磁石２４は、棒磁石等の永久磁石で形成されており、磁力の強い物が用いられている。スペーサ２５は、中空筒状に形成され、アルミニウムや、ステンレス、鉄等の材質で製作される。非磁性体のアルミニウム材でスペーサ２５を形成すると、各磁石２４の磁力を有効に作用させて鉄類を効果的に吸着することができるので好ましい。この実施の形態では、短い棒磁石等の磁石２４を、複数個、間隔を設けて内筒４に設けることにより、間隔を設けて配置された磁石２４が一体ではなくそれぞれ独立して磁力を発揮するようにし、これらの磁石２４の磁力で外筒３の全体で鉄類を吸着することができるようにしている。これら磁石２４とスペーサ２５の大きさは、全て同一でも、異なる大きさでもよい。配置も、内筒４の先端に磁石２４が位置してもスペーサ２５が位置してもよい。スペーサ２５を先端に配置しておけば、後述する図３(b) に示す鉄類の取外しをより容易に行うことができる。磁石２４を先端に配置しておけば、後述する図６に示すような使用時に、奥まった所にある鉄類を確実に吸着させることができる。
【００２５】
また、前記したように、外筒３の内部に内筒４を挿入した状態で、外筒３の外面に設けられた鍔部６よりも引出し側に内筒４の磁石２４が位置しないようになっている。これにより、鉄類を外筒３に吸着させる時に、鍔部６よりも内筒４の引出し側に鉄類が吸着されることがないようにしている。
【００２６】
図３は、図１に示す鉄類収集器の作用図であり、(a) は鉄類を収集する時の側面図、(b) は収集した鉄類を取り除くときの側面図である。これらの図では、ハンドル８を除いている。図３(a) に示すように、外筒３内に内筒４を挿入した状態の収集器本体２を床Ｆ等の上で移動させることにより、内筒４内に設けられた磁石２４の磁力によって外筒３に鉄類Ｍが吸着される。この実施の形態の鉄類収集器１には、前記したように、内筒４の先端位置と鍔部６に近接した位置と、これらの間に複数個の磁石２４が所定間隔で設けられているので、外筒３の先端と長さ方向の広い範囲に鉄類Ｍを吸着させることができる。
【００２７】
図３(b) に示すように、このようにして外筒３に吸着した鉄類Ｍは、所定の場所（例えば、鉄類の収集箱Ｂの上方等）で取手２３を持って内筒４を引き出すことにより、外筒３に吸着されている鉄類Ｍは内筒４に設けられた磁石２４と共に鍔部６側へと移動する。そして、この鍔部６に当接した鉄類Ｍは、内筒４を更に引き出すことによって磁石２４の磁力から開放されて下方へと落下する。そして、引出される内筒４は、先端の係止部２１（図２(a) ）が外筒３のストッパ１７（図２(a) ）に当接することによって停止する。これにより、内筒４の引抜き防止を図っている。この状態では、外筒３の鍔部６よりも先端側に吸着されていた鉄類Ｍは落下している。
【００２８】
図４は、本考案の第２実施の形態に係る鉄類収集器を示す斜視図である。なお、前記第１実施の形態と同一の構成には同一符号を付し、その詳細な説明は省略する。図示するように、この実施の形態の鉄類収集器３１は、前記外筒３の下部にローラ３２が設けられている。このローラ３２は、外筒３の下部の両端部付近に設けられており、回転中心が外筒３の軸方向に配置されている。この例のローラ３２は、外筒３から下方に向けて突設されたローラブラケット３３に支持軸３４で支持されている。また、ハンドル３５は、先端に二股のステー３６が設けられ、このステー３６が前記ローラ３２に近接した位置の外筒３に溶接等で固定されている。この例の収集器本体２は、横向きにしてハンドル３５で移動させるようになっている。他の構成は前記第１実施の形態の鉄類収集器１と同一であるため、詳細な説明は省略する。
【００２９】
この鉄類収集器３１によれば、ローラ３２を床等の上で転がしながら収集器本体２を移動させることにより、横向きの外筒３の下面に鉄類Ｍを吸着させて集めることができる。また、この鉄類収集器３１の場合も、所定の場所（鉄類の収集箱上方等）で内筒４を引出すことにより、外筒３に吸着された鉄類Ｍを鍔部６から下方に落とすことができ（図３(b) 参照）、容易に鉄類Ｍを収集することができる。
【００３０】
図５は、本考案の第３実施の形態に係る鉄類収集器を示す斜視図である。なお、前記第１，第２実施の形態と同一の構成には同一符号を付し、その詳細な説明は省略する。図示するように、この実施の形態の鉄類収集器４１は、前記外筒３の下部に熊手状歯４２が設けられている。この熊手状歯４２は、外筒３の下部から突出するように複数本の歯が設けられたものであり、この例では、ステンレス製の一枚板の一部を切除して複数の歯を形成し、その板材を外筒３に溶接等で固定している。この例では１枚の板材に熊手状歯４２を形成しているが、各歯を外筒３に溶接等で固定してもよい。
【００３１】
この鉄類収集器４１によれば、熊手状歯４２を床等の上で移動させることにより、この熊手状歯４２によって鉄類Ｍを掻き寄せながら外筒３の外面に吸着させて集めることができる。この鉄類収集器４１の場合も、所定の場所（鉄類の収集箱上方等）で内筒４を引出すことにより、外筒３に吸着された鉄類Ｍを鍔部６から下方に落とすことができ（図３(b) 参照）、容易に鉄類Ｍを収集することができる。
【００３２】
図６は、図１に示す鉄類収集器の使用状態を示す斜視図である。この図は、前記実施の形態１に示す鉄類収集器１により、加工機Ｐと床Ｆとの間にある鉄類Ｍを収集する場合を示している。
【００３３】
まず、前記図１に示すハンドル８の外側ハンドル部材１４を使用場所に適した長さに適宜伸ばして固定部材１５で固定する。そして、ハンドル８を持って収集器本体２を加工機Ｐと床Ｆとの間に挿入する。これにより、床Ｆに落ちている鉄類Ｍが磁石２４（図２(a) ）の磁力によって外筒３の外面に吸着される。この状態で、ハンドル８を左右に操作して収集器本体２を加工機Ｐと床Ｆとの間で移動させることにより、床Ｆに散乱している鉄類Ｍを外筒３の外面に吸着させることができる。また、この実施の形態では内筒４の先端に磁石２４を設けているので、奥まった場所の鉄類Ｍを外筒３の先端に吸着させることができる。すなわち、加工機Ｐの隙問や床Ｆ（地面）等に散乱する鉄片や鉄屑等の鉄類Ｍを集めて除去する作業において、磁石２４を設けた内筒４が挿入してある外筒３を、この外筒３に設けられたハンドル８を持って床Ｆや隙間等を自由に隙無く移動させることにより、磁石２４の磁力で外筒３の外面に鉄類Ｍを吸着して容易に集めることができる。しかも、棒状を呈している外筒３内に磁力の強い磁石２４が設けられているので、狭い箇所や目視できない隙間等の奥でも簡単に鉄類Ｍを集めることができるほか、外筒３を横に移動させれば広い面積から鉄類Ｍを簡単かつ確実に集めることができる。このように、鉄類Ｍを収集器本体２の外筒３に吸着させる操作は、ハンドル８を持って収集器本体２を所望の場所に移動させるだけでよいため、簡単な操作で確実に広範囲の鉄類Ｍを集めることが迅速にできる。
【００３４】
そして、外筒３に吸着させた鉄類Ｍは、収集器本体２を図示しない収集箱等の上方に持って行き、前記図３(b) に示すように取手２３を持って内筒４を引き出すことにより、外筒３に設けられた鍔部６の部分で外筒３の外面に吸着されていた鉄類Ｍを落として外すことができる。すなわち、前記したようにして鉄類Ｍを外面に吸着した外筒３から内筒４を引き出すことで、外筒３に吸着されていた鉄類Ｍを容易に外すことができる。この外筒３に吸着した鉄類Ｍを外す操作も、内筒４を引き出すだけでできるので、迅速に行うことができる。
【００３５】
このように、前記鉄類収集器１によれば、簡単な操作によって広範囲に散らばっている鉄類Ｍを容易に収集することができるので、効率良く鉄類Ｍの収集作業を行うことができる。
【００３６】
なお、前記第２実施の形態の鉄類収集器３１によれば、ローラ３２によって収集器本体２を床Ｆ等の上面でスムーズに移動させることができ、より労力の軽減を図ることができる。また、前記第３実施の形態の鉄類収集器４１によれば、熊手状歯４２によって床等に散乱している鉄類Ｍをかき集めながら外筒３に吸着させるので、鉄類Ｍの種類や使用場所によっては非常に効率良く鉄類Ｍを集めることができる。
【００３７】
以上のように、前記鉄類収集器１，３１，４１によれば、広範な面積から鉄片や鉄屑等の鉄類Ｍを簡単に一掃するように吸着させて収集することができるので、加工機Ｐと床Ｆとの間以外に、地面等に散乱する鉄類Ｍを簡単で確実に収集することもでき、広い収集面積でも効率良く鉄類Ｍを収集して大幅な労力軽減を図ることができる。また、工場内のほか、各種タンクや貯蔵庫、公園、校庭、農地などから鉄類Ｍを効率良く除去することができる。さらに、鉄類Ｍを吸着するので、鉄類Ｍをアルミニウムやプラスチック等から分別する用途等にも利用できる。
【００３８】
なお、前記実施の形態では、矩形状断面の外筒３と内筒４とを設けた矩形状断面の収集器本体２を例に説明したが、外筒３や内筒４は円形断面等、他の形状であってもよく、鉄類収集器の断面は矩形状断面に限定されるものではない。
【００３９】
また、前記実施の形態は一例を示しており、本考案の要旨を損なわない範囲での種々の変更は可能であり、本考案は前述した実施の形態に限定されるものではない。
【産業上の利用可能性】
【００４０】
本考案に係る鉄類収集器は、工場内のほか、各種タンクや貯蔵庫、公園、校庭、農地などから鉄類を除去するのに利用できる。
【図面の簡単な説明】
【００４１】
【図１】本考案の第１実施の形態に係る鉄類収集器を示す斜視図である。
【図２】(a) は図１に示す鉄類収集器の収集器本体を水平方向に切断して両端部を拡大した断面図であり、(b) は内筒の斜視図である。
【図３】図１に示す鉄類収集器の作用図であり、(a) は鉄類を収集する時の側面図、(b) は収集した鉄類を取り除くときの側面図である。
【図４】本考案の第２実施の形態に係る鉄類収集器を示す斜視図である。
【図５】本考案の第３実施の形態に係る鉄類収集器を示す斜視図である。
【図６】図１に示す鉄類収集器の使用状態を示す斜視図である。
【符号の説明】
【００４２】
１…鉄類収集器
２…収集器本体
３…外筒
４…内筒
５…外フランジ
６…鍔部
７…ブラケット
８…ハンドル
９…調整部材
１０…支持部
１１…調整部
１２…調整溝
１３…内側ハンドル部材
１４…外側ハンドル部材
１５…固定部材
１６…板体
１７…ストッパ
１８…パッキン
１９…蓋体
２０…ボルト
２１…係止部
２２…フランジ部
２３…取手
２４…磁石
２５…スペーサ
３１…鉄類収集器
３２…ローラ
３３…ローラブラケット
３４…支持軸
３５…ハンドル
３６…ステー
４１…鉄類収集器
４２…熊手状歯
【図１】
0003133678.tif 000003
【図２】
0003133678.tif 000004
【図３】
0003133678.tif 000005
【図４】
0003133678.tif 000006
【図５】
0003133678.tif 000007
【図６】
0003133678.tif 000008